(57)【要約】ＡＣ電源に結合され、整流されたＤＣ出力電圧を生成する整流器（４０）と、整流されたＤＣ出力電圧を受け取り、電圧が上昇したＤＣバス電圧を供給する力率補正回路（５０）と、ＤＣバス電圧をスイッチングして冷陰極蛍光ランプ（１８）を駆動するスイッチング電圧を供給するために少なくとも１つの電子スイッチを備える電子スイッチング回路であって、上記スイッチング電圧は、共振ＬＣ回路を備える出力ステージ（７４）を通じてランプ（１８）に供給される電子スイッチング回路と、電子スイッチング回路（７０）のスイッチング動作を制御する、電子式ディスプレイ装置用の筐体内に設けられた電子式安定器制御回路（７２）とを備えた、電子式ディスプレイ装置の冷陰極蛍光ランプ（１８）に電力供給するための電子式安定器である。
2004524791.tif 000002
【特許請求の範囲】
【請求項１】
電子式ディスプレイ装置の冷陰極蛍光ランプに電力供給するための電子式安定器であって、
ＡＣ電力源に結合され、整流されたＤＣ出力電圧を生成する整流器と、
前記整流されたＤＣ出力電圧を受け取り、電圧が上昇したＤＣバス電圧を供給する力率補正回路と、
前記ＤＣバス電圧をスイッチングして冷陰極蛍光ランプを駆動するスイッチング電圧を供給するために少なくとも１つの電子スイッチを備える電子スイッチング回路であって、前記スイッチング電圧は、共振ＬＣ回路を有する出力ステージを通じて前記ランプに供給される電子スイッチング回路と、
前記電子スイッチング回路のスイッチング動作を制御する電子式安定器制御回路であって、前記電子式ディスプレイ装置のための筐体内に設けられている電子式安定器制御回路と、
を具備したことを特徴とする電子式安定器。
【請求項２】
前記電子式安定器制御回路は調光入力を含むことを特徴とする請求項１に記載の電子式安定器。
【請求項３】
前記調光入力は基準位相角を確立し、前記電子式安定器制御回路は電流感知入力をさらに備え、前記電流感知入力は、前記ランプを流れる電流と前記ランプの両端間の電圧との間の実際の位相角に関連した信号入力を受け取り、前記電子式安定器制御回路は、前記実際の位相角を検出して、前記実際の位相角と前記基準位相角との間の差に比例する誤差信号を生成し、前記誤差信号を最小限に抑えるように前記ランプを駆動し、それによって前記基準位相角により設定された所望の調光レベルとなるように前記ランプを駆動することを特徴とする請求項１に記載の電子式安定器。
【請求項４】
前記実際の位相角に関連した前記信号は、前記電子スイッチング回路と直列の電流感知抵抗の両端間に発生することを特徴とする請求項３に記載の電子式安定器。
【請求項５】
前記電子スイッチング回路は、前記ＤＣバスの両端間に直列に接続された高電位側スイッチおよび低電位側スイッチを有するハーフブリッジスイッチング回路を備え、前記スイッチング電圧は、前記高電位側スイッチおよび低電位側スイッチの共通接続点に供給されることを特徴とする請求項４に記載の電子式安定器。
【請求項６】
前記共振ＬＣ回路は、昇圧変圧器の１次側に直列に結合された直列のインダクタンスおよびキャパシタンスを有し、前記昇圧変圧器は、前記ランプに昇圧電圧を供給する２次側を有することを特徴とする請求項５に記載の電子式安定器。
【請求項７】
前記ランプと並列に配設された並列キャパシタンスをさらに有することを特徴とする請求項６に記載の電子式安定器。
【請求項８】
前記力率補正回路は、電圧が上昇した前記ＤＣバス電圧を前記ＤＣバスの両端間に供給するブーストコンバータと、前記ブーストコンバータのスイッチング動作を制御する力率補正制御回路とを備えることを特徴とする請求項１に記載の電子式安定器。
【請求項９】
前記調光入力は前記電子式安定器制御回路のシャットダウンピンを備え、パルス論理信号が前記シャットダウンピンに印加されてランプ輝度が制御されることを特徴とする請求項１に記載の電子式安定器。
【請求項１０】
前記パルス論理信号のデューティサイクルを変化させて前記ランプ輝度を制御することを特徴とする請求項９に記載の電子式安定器。
【請求項１１】
冷陰極蛍光ランプに電力供給するための電子式安定器であって、
ＡＣ電力源に結合され、整流されたＤＣ出力電圧を生成する整流器と、
前記整流されたＤＣ出力電圧を受け取り、電圧が上昇したＤＣバス電圧を供給するブースト回路と、
前記ＤＣバス電圧をスイッチングする少なくとも１つの電子スイッチを備えて冷陰極蛍光ランプを駆動する電子スイッチング回路であって、共振ＬＣ回路を備えた出力ステージを介して前記ランプに前記スイッチング電圧が供給される電子スイッチング回路と、
前記電子スイッチング回路のスイッチング動作を制御する電子式安定器制御回路とを備え、
前記電子式安定器制御回路はさらに基準位相角を確立する調光入力を含み、前記電子式安定器制御回路はさらに電流感知入力備え、前記電流感知入力は、前記ランプを流れる電流と前記ランプの両端間の電圧との間の前記実際の位相角に関連した信号を受け取り、前記電子式安定器制御回路は、前記実際の位相角を検出して、前記実際の位相角と基準位相角との間の差に比例した誤差信号を生成し、前記誤差信号を最小限に抑えるように前記ランプを駆動し、それによって前記基準位相角により設定される所望の調光レベルとなるように前記ランプを駆動することを特徴とする電子式安定器。
【請求項１２】
前記実際の位相角に関連した前記入力は、前記電子スイッチング回路と直列の電流感知抵抗の両端間に生成されることを特徴とする請求項１１に記載の電子式安定器。
【請求項１３】
前記電子スイッチング回路は、前記ＤＣバスの両端間に直列に接続された高電位側スイッチおよび低電位側スイッチを有するハーフブリッジスイッチング回路を備え、前記スイッチング電圧は、前記高電位側スイッチと低電位側スイッチの共通接続点に供給されることを特徴とする請求項１２に記載の電子式安定器。
【請求項１４】
前記共振ＬＣ回路は、昇圧変圧器の１次側に直列に結合された直列のインダクタンスおよびキャパシタンスを有し、前記昇圧変圧器は、昇圧電圧を前記ランプに供給する２次側を有することを特徴とする請求項１３に記載の電子式安定器。
【請求項１５】
前記ランプと並列に配設された並列キャパシタンスをさらに有することを特徴とする請求項１４に記載の電子式安定器。
【請求項１６】
前記ブースト回路は、
電圧が上昇した前記ＤＣ電圧を前記ＤＣバスの両端間に供給するブーストコンバータを含んだ力率補正回路と、
前記ブーストコンバータのスイッチング動作を制御する力率補正制御回路と、
備えることを特徴とする請求項１１に記載の電子式安定器。
【請求項１７】
冷陰極蛍光ランプに電力供給するための電子式安定器であって、
ＡＣ電力源に結合され、整流されたＤＣ出力電圧を生成する整流器と、
前記整流されたＤＣ出力電圧を受け取り、電圧が上昇したＤＣバス電圧を供給するブースト回路と、
前記ＤＣバス電圧をスイッチングする少なくとも１つの電子スイッチを備えて冷陰極蛍光ランプを駆動する電子スイッチング回路であって、共振ＬＣ回路を備えた出力ステージを介して前記ランプに前記スイッチング電圧が供給される電子スイッチング回路と、
前記電子スイッチング回路のスイッチング動作を制御する電子式安定器制御回路とを備え、
前記電子式安定器制御回路は調光入力をさらに含み、前記調光入力は電子式安定器制御回路のシャットダウンピンをさらに備え、パルス論理信号が前記シャットダウンピンに印加されてランプ輝度が制御されることを特徴とする電子式安定器。
【請求項１８】
前記パルス論理信号のデューティサイクルを変化させて前記ランプ輝度を制御することを特徴とする請求項１７に記載の電子式安定器。
【発明の詳細な説明】
【技術分野】
【０００１】
本発明は、調光機構を備えた冷陰極蛍光ランプのための電子式安定器に関するものである。
【背景技術】
【０００２】
本願は、「DRIVER FOR COLD CATHODE FLUORESCENT LAMP」という名称の２００１年３月２２日出願の仮特許出願第６０／２７７６３５号の特典および優先権を主張するものであり、その開示全体が、参照により本明細書に組み込まれる。
【０００３】
本発明は、冷陰極蛍光ランプのための電子式安定器に関する。通常、例えばパーソナルコンピュータディスプレイで使用される、例えば液晶ディスプレイ用の背景灯として、冷陰極蛍光ランプが使用される。従来技術では、図１を参照すると、ＬＣＤディスプレイ１０を含むフラットパネルディスプレイは、ディスプレイの後ろに、背面照明を提供するための冷陰極蛍光ランプを有する。別々の電源２０が通常使用され、その電源２０は、ＡＣ電力プラグ２２を介してＡＣ電力源に接続される。相互接続ケーブル２４は電源２０とディスプレイ１０を相互接続する。
【０００４】
図２に示す電源２０は、通常は９０から２６５ボルト、ＡＣ５０／６０ＨｚのＡＣ電圧を、より低いＤＣ電圧、例えば２４ボルトＤＣに変換するＡＣ−ＤＣコンバータを含む。２４ボルトＤＣ電源は、相互接続ケーブル２４によってディスプレイ１０に供給される。ディスプレイの内部では、バックコンバータ１２が電流を調節し、調整電流(regulated current)１４をＲｏｙｅｒ出力ステージ１６に供給する。Ｒｏｙｅｒ出力ステージ１６は、１８で示す冷陰極蛍光ランプ（ＣＣＦＬ）に必要な電圧を供給するスイッチング回路を備える。始動電圧(ignition voltage)は約３ｋｖである。調光制御１３により、ＣＣＦＬ１８の輝度レベルを調整することができる。
【発明の開示】
【発明が解決しようとする課題】
【０００５】
コスト、重量、およびスペースを節約し、効率を高めるために、外部電源をなくし、ディスプレイ内の内部電力変換回路のサイズを低減することが望ましい。
【課題を解決するための手段】
【０００６】
本発明の一態様によれば、本発明は、冷陰極蛍光ランプに電力供給するための電子式安定器であって、ＡＣ電力源に結合され、整流されたＤＣ出力電圧を生成する整流器と、整流されたＤＣ出力電圧を受け取り、電圧が上昇したＤＣバス電圧を供給する力率補正回路と、ＤＣバス電圧をスイッチングして冷陰極蛍光ランプを駆動するスイッチング電圧を供給するために少なくとも１つの電子スイッチを備える電子スイッチング回路であって、スイッチング電圧が、共振ＬＣ回路を備える出力ステージを通じてランプに供給される電子スイッチング回路と、前記電子スイッチング回路のスイッチング動作を制御する、電子式ディスプレイ装置用の筐体内に設けられた電子式安定器制御回路とを備える電子式安定器を含む。
【０００７】
別の態様によれば、本発明は、冷陰極蛍光ランプに電力供給する電子式安定器であって、ＡＣ電力源に結合された、整流されたＤＣ出力電圧を生成する整流器と、整流されたＤＣ出力電圧を受け取り、電圧が上昇したＤＣバス電圧を供給するブースト回路と、ＤＣバス電圧をスイッチングして冷陰極蛍光ランプを駆動するスイッチング電圧を供給するために少なくとも１つの電子スイッチを備える電子スイッチング回路であって、スイッチング電圧が、共振ＬＣ回路を備える出力ステージを通じてランプに供給される電子スイッチング回路と、前記電子スイッチング回路のスイッチング動作を制御する電子式安定器制御回路であって、基準位相角を確立する調光入力をさらに含み、前記ランプを通る電流と、前記ランプの両端間の電圧との間の実際の位相角に関する信号を受け取る電流感知入力をさらに備え、前記実際の位相角を検出し、実際の位相角と基準位相角の差に比例する誤差信号を生成し、誤差信号を最小限に抑えるように前記ランプを駆動し、それによって前記基準位相角によって設定される所望の調光レベルにランプを駆動する電子式安定器制御回路とを備える電子式安定器を含む。
【０００８】
本発明の他の特徴および利点は、添付の図面が参照される本発明の以下の説明から明らかとなるであろう。
【０００９】
本発明について、図面を参照しながら、以下詳細な説明においてより詳しく述べる。
【発明を実施するための最良の形態】
【００１０】
図４を参照すると、本発明の基本ブロック図が示されている。従来技術とは対照的に、本発明は、図１に示す電源２０などのいかなる外部電源も不要である。図３は、本発明では外部電源２０が不要であり、ディスプレイ１０内の内部バックコンバータ(internal buck converter)が不要であることを示す。ＡＣ電源(AC power)はディスプレイ１０に直接供給される。このＡＣ電源は、適切な電磁干渉フィルタ(electromagnetic interference filter)および整流器ステージ(rectifier stage)を通じて力率コントローラ(power factor controller)５０に供給される。この力率コントローラの出力は通常４００ボルトＤＣであり、ＤＣバス６０に対して供給される。このＤＣバス電圧は、共振出力ステージ(resonant output stage)７０に供給される。この共振出力ステージ７０は、誘導性および容量性共振回路(inductive and capacitive resonant circuit)を通じてＣＣＦＬ１８に高周波電力信号を供給するための電子スイッチング素子を駆動する安定器制御回路(ballast control circuit)を含んでいる。共振出力ステージ７０は、高周波数、例えば４０から１００ｋＨｚで、２ｋｖの近似正弦出力電圧を生成する。ＣＣＦＬ１８に供給される電流と電圧の間の位相関係の位相制御を達成するために調光制御(dimming control)１３が供給される。
【００１１】
図５は、位相制御(phase control)がランプ電力(lamp power)をどのように決定するかを示す。図５に示すように、ＣＣＦＬに供給される電流と電圧との間の位相関係(phase relationship)とランプ電力(lamp power)を関係付ける線形領域(linear region)が存在する。ランプに供給される電流と電圧の間の位相ずれ(phase shift)が小さいほど、電力が大きくなる。最小電力は電流と電圧の間の位相ずれが約９０°のところで生じ、最大電力は約６０°のところで生じる。
【００１２】
図１０を参照すると、本実施形態のより詳細なブロック図が示されている。本発明は、ＥＭＩフィルタ３０を含み、ＥＭＩフィルタ３０は、電磁干渉を最小限に抑えるために、適切な誘導性および容量性コンポーネントを含む。ＥＭＩフィルタ３０はＡＣラインに結合される。このＥＭＩフィルタの出力は、整流器ステージ４０、例えば全波整流器に供給される。整流器４０の出力は、力率補正（ＰＦＣ:Power Factor Correction）ステージ５０に供給される。この力率補正ステージは、ＤＣバス６０に供給する電圧レベルを上昇させるために、当業者に周知のブーストコンバータ回路(boost converter circuit)を使用する。力率補正ステージ５０は、ＡＣ入力での電流と電圧の位相ずれを最小限に抑えるように、好ましくは力率を１近くに、例えば０．９７から０．９９に維持するように波形を形成する。力率補正ステージ５０は、従来の方式により、力率補正コントローラ(power factor correction contoller)５５によって制御される。ＤＣバス６０の電圧は、電子スイッチングステージ７０に供給される。この電子スイッチングステージ７０は、安定器コントローラ(ballast controller)７２からの制御信号によって制御される高電位側(high side)スイッチおよび低電位側(low side)スイッチを有する。ハーフブリッジ７０の出力は、共振回路を形成するＬＣ回路と、変圧器昇圧回路(transformer step up circuit)とを有する出力ステージ(output stage)７４に供給される。ＣＣＦＬ１８は、上記共振出力ステージ(resonant output stage)に結合され、その共振出力ステージによって電力が供給される。
【００１３】
図６は、ハーフブリッジコントローラ７２の詳細なブロック図を示す。このハーフブリッジコントローラは、ＩＲ２１５９安定器制御ＩＣを用いて実施することができる。この回路は、入力接続「ＶＣＯ」によって制御される電圧制御発振器(VCO)９０を含む。この電圧制御発振器の出力は高電位側および低電位側ドライバ９２を駆動し、高電位側および低電位側ドライバ９２は、高出力「ＨＯ」および低出力「ＬＯ」をハーフブリッジ電子スイッチに供給する。このハーフブリッジ電子スイッチからの出力は、スイッチ間の共通接続点から得られる。上記ＨＯ信号およびＬＯ信号は、それぞれ高電位側デバイス(high side device)および低電位側デバイス(low side device)のゲートに供給される。これら高電位側デバイスおよび低電位側デバイスは、ＤＣバスの間に直列に接続される。
【００１４】
コントローラ７２はシャットダウンピン(shut down pin)９４および電流感知ピン(current sense pin)９６をさらに含む。電流感知ピン９６は、ランプ中の電流に比例する、ハーフブリッジ回路中の電流を感知する。これらの信号は、障害信号(fault signal)がシャットダウンピン「ＳＤ」に印加された場合、あるいは過電流(over current)が「ＣＳ」により感知された場合に、コントローラ７２を停止(shut down)することができる障害論理(fault logic)９８に供給される。過温度検出(over-temperature detection)９９および不足電圧検出(undervoltage detection)１００は、上記障害論理への入力として供給され、これらの状態が生じた場合、コントローラ７２を停止することができる。入力「ＶＤＣ」は、ライン入力電圧を検出するためのものである。
【００１５】
コントローラ７２はまた、最小動作周波数、調光レベル(dimming level)、ならびにランプの最大電力または輝度レベルを設定するためのいくつかの入力をもつ調光インターフェース(dimming interface)１０２も含む。加えて、ピーク予熱電流基準(peak preheat current reference)「ＩＰＨ」が振幅制御回路(amplitude control circuit)１０４に供給される。ランプの予熱タイミング(lamp preheat timing)を制御するために、予熱タイミング入力「ＣＰＨ」がタイミング回路１０８に供給される。
【００１６】
上記調光インターフェースは、位相制御１０６に対して基準位相を供給する。この位相制御は、実際の位相に比例した信号を受け取る。この実際の位相は、入力「ＣＳ」に表れるハーフブリッジ電流に比例した電圧信号の零交叉(zero crossing)を検出することによって決定される。入力「ＣＳ」の零交叉は、上記位相角に比例する。上記位相制御は、上記調光インターフェースから供給された基準位相と実際の位相とを比較し、ＶＣＯに誤差信号を供給し、それによってＶＣＯ周波数を変更し、誤差信号(error signal)をゼロに駆動する。ランプ両端間の電圧と、ランプを流れる電流の位相がより接近しているとき、ランプ中の電力消費(power dissipation)、すなわち輝度が増加する。電圧と電流の位相差が増加すると、ランプ中の電力消費、すなわち輝度が減少する。
【００１７】
図７は、コントローラ集積回路についての状態図を示す。電源オン時１２０に、不足電圧(undervoltage)およびランプ切れ(lamp out)（ＵＶＬＯ）１２２がチェックされる。電圧が適切であり、ランプが定位置にあると、状態は予熱モード(preheat mode)１２４に変化し、予熱モード１２４でランプが予熱される。ランプが予熱された後、点灯ステージ(ignition stage)１２６に入る。ランプが点灯した後、ランプは調光モード(dimming mode)１２８に入り、調光レベルが所望の電力レベルに設定され、それによってランプが適切な輝度レベルに駆動される。予熱(preheat)、点灯(ignition)、および調光(dim)のすべての状態の間、２つの線１３０，１３２で示すように、コントローラは、任意の障害または不足電圧についてチェックする。
【００１８】
図８は、コントローラ集積回路７２に電力を供給する電圧ＶＣＣ（Ａ）と、５ボルトＤＣ調光入力に対応する最大輝度から、最小輝度に対応する０ボルトＤＣ調光入力までの変化を示すサンプル調光制御入力(sample dim control imput)（Ｂ）とをんだ、スタートアップから停止(shut down)までのタイミング図を示す。波形Ｃは、スタートアップ時、定常状態時および調光時におけるランプへの出力の周波数を示す。当初、ランプは最大周波数で開始し、最小動作周波数まで減少する。図示するように、調光信号(dimming signal)が供給されてランプ電力が減少した場合、周波数は増加する。やはり波形Ｃで示すように、ランプを調光するとき、電流と電圧の間の位相角は、最小位相差から最大位相差まで増加する。
【００１９】
波形Ｄはランプ電圧を示す。点灯の間、ランプ電圧は最大値約１．２ｋｖまで増加し、その後ランプが点灯すると、動作電圧約４００ｖ（波高値）に落ち着く。不足電圧、障害、またはランプの取り外しが検出された場合、安定器コントローラＩＣによってハーフブリッジが動作不能にされ、出力電圧が０に降下する。
【００２０】
図９は、スイッチングトランジスタＭ１およびＭ２を備えたハーフブリッジ回路を駆動するための、安定器制御集積回路７２についての典型的な回路図を示す。抵抗器ＲCSは、電流感知入力「ＣＳ」を供給する。抵抗器ＲCSを流れる電流、すなわち抵抗器ＲCSの両端間の電圧は、ランプ電流に比例する。具体的には、コントローラ７２のピン「ＣＳ」での電圧は、電流と電圧の位相角に比例する零交叉を有することになる。したがって、零交叉(zero crossing)を求めることにより、位相角(phase angle)、すなわちランプの電力または輝度レベルを求めることができる。かくして、零交叉（位相角）と調光制御(dimming control)によって設定された位相角とを比較することにより、調光レベルのフィードバック制御(feedback control of dim level)を達成することができる。先に論じたように、内部位相コンパレータ(internal phase comparator)は、この位相角を、調光制御によって設定された基準位相角(reference phase angle)と比較し、したがってランプを所望の輝度レベルに駆動する。
【００２１】
様々な抵抗器ＲMAX、ＲMIN、ＲFMIN、およびＲIPHにより、それぞれ最大電力レベル、最小電力レベル、最小動作周波数、およびピーク予熱電流基準(peak preheat current reference)が設定される。
【００２２】
キャパシタＣVCOおよびＣPHにより、それぞれ電圧制御発振器についてのタイミング制御と、予熱タイミングとが設定される。
【００２３】
入力電圧検出(input voltage detection)は、整流されたＡＣラインに接続されている抵抗器Ｒ5を介して「ＶＤＣ」に供給される。制御ＩＣ７２のための電力は「ＶＣＣ」から供給される。
【００２４】
ハーフブリッジの出力は、共振キャパシタＣ１３、共振インダクタンスＬ３、および昇圧変圧器Ｔ１を備えた共振回路に対してＶS点から供給される。変圧器Ｔ１の２次側はランプ１８に接続される。並列キャパシタンスＣ１４はランプ１８の両端間に接続される。２ｋｖないし３ｋｖのピーク電圧がＣＣＦＬに供給される。
【００２５】
図１１は、ＣＣＦＬのための電子式安定器の構成図を示す。安定器制御集積回路７２およびその関連する構成要素は、図９に関連して説明した通りである。力率補正ステージ(power factor correction stage)５０は図１１により詳細に示されている。この力率補正ステージ５０は、ブーストコンバータスイッチングトランジスタＭ１および力率補正制御ＩＣ５５を含んでいる。この力率補正制御は、ほぼ１の力率、例えば約０．９９を達成するのに有効である。ダイオードＤ２は、ブーストコンバータの出力をＤＣバス６０から分離し、ＤＣバス６０の電圧が力率補正ステージの出力より下(below)に降下したときに力率補正制御ステージ５０の出力から電流を引き込む(draw)ことを可能にする。フィルタキャパシタＣ６はＤＣバス上に設けられている。フィルタキャパシタＣ２は整流器４０の出力端に設けられている。
【００２６】
図１２は、通常のスタートアップ中におけるＤＣバス６０およびランプ電圧の波形を示す。図示するように、ランプ電圧は最大電圧まで増加し、次いで動作電圧が降下していく。
【００２７】
図１３は、ランプ切れ状態におけるハーフブリッジの出力電圧ＶSおよびランプ電圧を示す。図示するように、過電流、およびハーフブリッジの出力がほぼゼロに降下することにより、コンバータは安全に非活動化(deactivate)される。
【００２８】
図１４および図１５は、それぞれ１００％輝度中および１０％輝度中における、ランプ電圧およびハーフブリッジ出力ＶSを示す。図示するように、電流に対するランプ電圧の位相角はシフトする。低輝度では、電圧と電流の間の位相角は、１００％輝度よりも大きくなる。したがって、低輝度の間は、ランプ負荷に送られる電力は小さくなる。位相角と電力の間の関係は図５に示される。
【００２９】
コントローラＩＣのシャットダウン（ＳＤ）ピンに対してパルス論理信号を印加することにより調光を行うことも可能である。この論理信号の一般的な周波数として、人間の目がちらつきを知覚することを回避するため、２〜３(few)百Ｈｚ、例えば２００Ｈｚとすることができる。この論理信号のデューティサイクルにより、ランプのオン時間が決定され、したがって、この論理信号のデューティサイクルを変化させて調光レベル(dimming level)を制御することができる。したがって、図１０の調光制御(dimming control)は、いくつかの方式、例えば位相制御、またはＳＤ入力における信号のデューティサイクル制御により制御することができる。
【００３０】
本発明をその特定の実施形態に関連して説明したが、多数の他の変形形態および修正形態、ならびに他の使用法が当業者には明らかとなるであろう。したがって、本明細書での特定の開示によって本発明を限定すべきではなく、本発明は頭記の特許請求の範囲によってのみ限定される。
【図面の簡単な説明】
【００３１】
【図１】デスクトップディスプレイ中のＣＣＦＬに電力供給するための従来技術の方法を示す図である。
【図２】従来技術のシステムをより詳細に示す図である。
【図３】本発明において、従来技術におけるいくつかの構成要素が不要となることを示す図である。
【図４】本発明を適用したブロック図を示す図である。
【図５】ランプに供給される電圧に対する電流の位相角にしたがってランプ電力が変化し、それによりランプ調光が実施されることを示す図である。
【図６】本発明を適用した安定器制御装置のブロック図である。
【図７】本安定器制御装置の状態図である。
【図８】本発明を適用した回路のタイミング波形図である。
【図９】本発明を適用した安定器制御装置を出力ステージおよびＣＣＦＬに接続する方法を示す図である。
【図１０】本発明を適用した詳細なブロック図である。
【図１１】図１０の本発明を適用した回路図である。
【図１２】通常のスタートアップ中におけるＤＣバスレベルおよびランプ電圧を示す波形図である。
【図１３】ランプ切れ状態におけるランプ電圧およびハーフブリッジ出力電圧を示す図である。
【図１４】１００％輝度中におけるランプ電圧およびハーフブリッジ出力電圧を示す図である。
【図１５】１０％輝度中におけるランプ電圧およびハーフブリッジ出力電圧を示す図である。
【図１】
2004524791.tif 000003
【図２】
2004524791.tif 000004
【図３】
2004524791.tif 000005
【図４】
2004524791.tif 000006
【図５】
2004524791.tif 000007
【図６】
2004524791.tif 000008
【図７】
2004524791.tif 000009
【図８】
2004524791.tif 000010
【図９】
2004524791.tif 000011
【図１０】
2004524791.tif 000012
【図１１】
2004524791.tif 000013
【図１２】
2004524791.tif 000014
【図１３】
2004524791.tif 000015
【図１４】
2004524791.tif 000016
【図１５】
2004524791.tif 000017
【国際公開パンフレット】
2004524791.tif 000018
2004524791.tif 000019
2004524791.tif 000020
2004524791.tif 000021
2004524791.tif 000022
2004524791.tif 000023
2004524791.tif 000024
2004524791.tif 000025
2004524791.tif 000026
2004524791.tif 000027
2004524791.tif 000028
2004524791.tif 000029
2004524791.tif 000030
2004524791.tif 000031
2004524791.tif 000032
2004524791.tif 000033
2004524791.tif 000034
2004524791.tif 000035
2004524791.tif 000036
2004524791.tif 000037
2004524791.tif 000038
2004524791.tif 000039
2004524791.tif 000040
2004524791.tif 000041
2004524791.tif 000042
2004524791.tif 000043
2004524791.tif 000044
【国際公開パンフレット（コレクトバージョン）】
2004524791.tif 000045
2004524791.tif 000046
【国際調査報告】
2004524791.tif 000047